(57)【要約】【課題】複数の表示項目のなかからユーザ所望の項目を簡便且つ確実に選択できる映像表示装置を提供する。【解決手段】映像表示装置１は、第１の情報入力が検出された時点で選択されている当該着目グループに属する表示項目を新たな複数のグループに分類する分類処理を実行するグループ生成部１７と、新たな複数のグループのなかから１つのグループを着目グループとして順次選択する選択処理を実行するグループ選択部１８と、新たな複数のグループのなかから着目グループが選択される毎に、当該着目グループに属する当該表示項目を強調表示する表示形式で表示画像を生成する画像処理を実行する表示画像生成部１３とを備える。分類処理と選択処理と画像処理とを含む一連の処理は、着目グループに属する表示項目の個数が所定数以下となるまで反復して実行される。【選択図】図１
2012128765.tif 000002
【特許請求の範囲】
【請求項１】
データファイルを解析し、その解析結果に基づいて前記データファイルから複数の表示項目にそれぞれ対応する関連情報を抽出するデータ解析部と、
前記関連情報に基づいて前記複数の表示項目を複数のグループに分類するグループ生成部と、
前記複数のグループのなかから１つのグループを着目グループとして順次選択するグループ選択部と、
前記着目グループが選択される毎に、前記着目グループに属する当該表示項目を強調表示する表示形式で画面に表示される表示画像を生成する表示画像生成部と、
入力装置への第１の情報入力の有無を監視する入力監視部と
を備え、
前記グループ生成部は、前記第１の情報入力が検出された時点で選択されている当該着目グループに属する表示項目を新たな複数のグループに分類する分類処理を実行し、
前記グループ選択部は、前記新たな複数のグループのなかから着目グループを順次選択する選択処理を実行し、
前記表示画像生成部は、前記新たな複数のグループのなかから前記着目グループが選択される毎に、前記新たな複数のグループのうち前記着目グループ以外のグループに属する当該表示項目よりも前記着目グループに属する当該表示項目を強調表示する表示形式で前記画面に表示されるべき表示画像を生成する画像処理を実行し、
前記グループ生成部、前記グループ選択部及び前記表示画像生成部は、前記着目グループに属する当該表示項目の個数が所定数以下となるまで、前記分類処理と前記選択処理と前記画像処理とを含む一連の処理を反復して実行する、
ことを特徴とする映像表示装置。
【請求項２】
請求項１に記載の映像表示装置であって、
前記関連情報は、当該表示項目の表示位置を指定する情報を含み、
前記複数の表示項目は、それぞれの当該表示位置に基づいて分類される、
ことを特徴とする映像表示装置。
【請求項３】
請求項１または２に記載の映像表示装置であって、前記所定数は１個であることを特徴とする映像表示装置。
【請求項４】
請求項１から３のうちのいずれか１項に記載の映像表示装置であって、
前記グループ生成部は、前記表示項目と前記グループとの対応関係を示すテーブルを生成し、
前記グループ選択部は、前記テーブルを用いて前記着目グループを順次選択する、
ことを特徴とする映像表示装置。
【請求項５】
請求項１から４のうちのいずれか１項に記載の映像表示装置であって、
通信ネットワークを介して複数のデータサーバのいずれかとの通信リンクを確立するネットワーク通信部と、
前記ネットワーク通信部を介して前記データサーバから前記データファイルを取得するデータ取得部と
をさらに備えることを特徴とする映像表示装置。
【請求項６】
請求項５に記載の映像表示装置であって、
前記関連情報は、前記通信ネットワークにおけるデータファイルの所在位置を示すリンク情報を含み、
前記データ取得部は、前記着目グループに属する当該表示項目の個数が１つに絞り込まれたとき、前記１つの表示項目に対応する当該リンク情報で指定される新たなデータファイルを前記データサーバから取得する、
ことを特徴とする映像表示装置。
【請求項７】
請求項１から４のうちのいずれか１項に記載の映像表示装置であって、
外部の送信装置から送信された前記データファイルを受信しバッファメモリに格納する受信部と、
前記バッファメモリから前記データファイルを取得するデータ取得部と
をさらに備えることを特徴とする映像表示装置。
【請求項８】
請求項７に記載の映像表示装置であって、
前記関連情報は、前記受信部で取得されたデータファイルを指定する内部リンク情報を含み、
前記データ取得部は、前記着目グループに属する当該表示項目の個数が１つに絞り込まれたとき、前記１つの表示項目に対応する当該内部リンク情報で指定される新たなデータファイルを前記バッファメモリから取得する、
ことを特徴とする映像表示装置。
【請求項９】
請求項１から８のうちのいずれか１項に記載の映像表示装置であって、前記入力監視部は、前記第１の情報入力とは異なる第２の情報入力を検出したとき、前記一連の処理を反復して実行する動作モードを解除させることを特徴とする映像表示装置。
【請求項１０】
請求項１から９のうちのいずれか１項に記載の映像表示装置であって、前記入力装置は、ユーザによる操作入力がなされる操作入力装置であることを特徴とする映像表示装置。
【請求項１１】
請求項１から１０のうちのいずれか１項に記載の映像表示装置であって、前記データファイルは、マークアップ言語で記述された情報を有する構造化データファイルを含むことを特徴とする映像表示装置。
【請求項１２】
請求項１１に記載の映像表示装置であって、前記データファイルは、表示制御情報を有するスタイルシートファイルをさらに含むことを特徴とする映像表示装置。
【請求項１３】
データファイルを解析し、その解析結果に基づいて前記データファイルから複数の表示項目にそれぞれ対応する関連情報を抽出するステップと、
前記関連情報に基づいて前記複数の表示項目を複数のグループに分類するステップと、
前記複数のグループのなかから１つのグループを着目グループとして順次選択するステップと、
前記着目グループが選択される毎に、前記着目グループに属する当該表示項目を強調表示する表示形式で画面に表示される表示画像を生成するステップと、
入力装置への第１の情報入力の有無を監視するステップと、
前記第１の情報入力が検出された時点で選択されている当該着目グループに属する表示項目を新たな複数のグループに分類する分類処理を実行するステップと、
前記新たな複数のグループのなかから着目グループを順次選択する選択処理を実行するステップと、
前記新たな複数のグループのなかから前記着目グループが選択される毎に、前記新たな複数のグループのうち前記着目グループに属する当該表示項目を強調表示する表示形式で前記画面に表示される表示画像を生成する画像処理を実行するステップと
を含み、
前記分類処理を実行するステップと前記選択処理を実行するステップと前記画像処理を実行するステップとを含む一連のステップは、前記着目グループに属する当該表示項目の個数が所定数以下となるまで反復して実行される、
ことを特徴とする映像表示方法。
【請求項１４】
請求項１３に記載の映像表示方法であって、
前記関連情報は、当該表示項目の表示位置を指定する情報を含み、
前記複数の表示項目は、それぞれの当該表示位置に基づいて分類される、
ことを特徴とする映像表示方法。
【請求項１５】
請求項１３または１４に記載の映像表示方法であって、
通信ネットワークを介して複数のデータサーバのいずれかとの通信リンクを確立するステップと、
前記通信リンクの確立後に前記データサーバから前記データファイルを取得するステップと
をさらに備えることを特徴とする映像表示方法。
【請求項１６】
請求項１５に記載の映像表示方法であって、
前記着目グループに属する当該表示項目の個数が１つに絞り込まれたとき、前記１つの表示項目に対応する当該関連情報に含まれるリンク情報で指定される特定のデータサーバとの通信リンクを確立するステップと、
前記特定のデータサーバから、前記特定のデータファイルを取得するステップと
をさらに含み、
前記リンク情報は、前記通信ネットワークにおけるデータファイルの所在位置を示す情報である、
ことを特徴とする映像表示方法。
【請求項１７】
請求項１５または１６に記載の映像表示方法であって、
外部の送信装置から送信された前記データファイルを受信しバッファメモリに格納するステップと、
前記バッファメモリから前記データファイルを取得するステップと
をさらに含むことを特徴とする映像表示方法。
【請求項１８】
請求項１７に記載の映像表示方法であって、前記着目グループに属する当該表示項目の個数が１つに絞り込まれたとき、前記１つの表示項目に対応する当該関連情報に含まれる内部リンク情報で指定されるデータファイルを前記バッファメモリから取得するステップをさらに含むことを特徴とする映像表示方法。
【請求項１９】
請求項１５から１８のうちのいずれか１項に記載の映像表示方法であって、
前記第１の情報入力とは異なる第２の情報入力の有無を監視するステップと、
前記第２の情報入力が検出されたとき、前記一連のステップを反復して実行する動作モードを解除させるステップと
をさらに含むことを特徴とする映像表示方法。
【請求項２０】
コンピュータ読み取り可能な記録媒体から読み出されて、請求項１４から１９のうちのいずれか１項に記載の映像表示方法のステップをプロセッサに実行させることを特徴とする映像表示制御用プログラム。
【請求項２１】
請求項２０に記載の映像表示制御用プログラムを記録したことを特徴とするコンピュータ読み取り可能な記録媒体。
【発明の詳細な説明】
【技術分野】
【０００１】
本発明は、表示画面に現れる複数の表示項目のなかからユーザ所望の項目を選択するための表示制御技術に関する。
【背景技術】
【０００２】
近年、パーソナル・コンピュータやテレビや携帯型通信端末といった電子機器の多くは、グラフィカルな情報をユーザに提示し、これに対するユーザの応答（たとえば、キー入力や音声入力）に応じた特定の処理を実行するユーザインターフェース機能を有している。パーソナル・コンピュータの場合、ユーザは、ディスプレイの操作画面を視認しつつ、ポインティングデバイスやキーボードなどの入力装置を操作して、プログラムにより提示される多数の表示項目（たとえば、入力項目や選択項目）のなかから所望の項目を選択することができる。このような項目の選択をユーザが効率良く行うことを可能にするユーザインタフェース技術が、たとえば、特開２００５−７９９８８号公報（特許文献１）に開示されている。
【０００３】
パーソナル・コンピュータ上で動作するウェブブラウザ（ｗｅｂ  ｂｒｏｗｓｅｒ）は、インターネット（ｉｎｔｅｒｎｅｔ）やイントラネット（ｉｎｔｒａｎｅｔ）上のサイト（サーバ）からウェブページを取得し、このウェブページに基づいてその画像情報を画面に表示する。この結果、ユーザは、ウェブページを閲覧することができる。通常、ウェブページは、ＩＥＴＦ（Ｉｎｔｅｒｎｅｔ  Ｅｎｇｉｎｅｅｒｉｎｇ  Ｔａｓｋ  Ｆｏｒｃｅ）などの標準化団体が定めたマークアップ言語で記述された情報を有するデータファイルを含む。このウェブページには、インターネットやイントラネット上のリソースの所在位置を示すＵＲＩ（Ｕｎｉｆｏｒｍ  Ｒｅｓｏｕｒｃｅ  Ｉｄｅｎｔｉｆｉｅｒ）などのリンク情報を埋め込むことができる。ユーザは、入力装置を操作して、ウェブページに埋め込まれているリンク情報に対応する表示項目を指定することで（たとえば、マウスカーソルを所望の表示項目上に移動させてマウスのボタンを押すことで）、そのリンク情報に対応するリソース（たとえば、ウェブページや画像ファイルや音声ファイル）にアクセスすることができる。
【０００４】
しかしながら、ウェブページに含まれる表示項目の配置といった表示形式は、ウェブページの提供側が自由且つ任意に決めることができるものなので、一般的なウェブブラウザの機能では、サーバから取得されたウェブページの表示形式を、ユーザが閲覧しやすい表示形式に適宜変更することがむずかしい。このため、ウェブページに多数の表示項目が含まれている場合には、ユーザが入力装置を操作してこれら表示項目のなかから所望の項目を選択する際に大きな負担が生じるという問題がある。このような問題を解決しようとするユーザインタフェース技術が、たとえば、特開平１１−２５１１４号公報（特許文献２）及び特開２００９−２３７８６５号公報（特許文献３）に開示されている。
【０００５】
特許文献２に開示されているブラウザ装置は、ＨＴＭＬファイル（ページ情報）を解析し、その解析結果に基づいて、ＨＴＭＬファイルからリンク情報（たとえば、アンカータグで特定されるＵＲＬ）とこれに関連付けられた文字列とを抽出する。そして、ブラウザ装置は、数字などの符号の画像を、当該文字列の画像の近傍に配置させたページ画像を生成し、このページ画像を画面に表示させる。このブラウザ装置によれば、ユーザは、リモコンなどの入力装置を操作して当該符号に対応するボタン（たとえば、数字キー）を押下することで、当該符号に対応する所望の文字列を選択し、この文字列に関連付けられたリンク情報を指定することができる。
【０００６】
一方、特許文献３に開示されているネットワーク画像表示装置は、インターネットテレビなどの画面表示領域を複数の部分領域に分割し、これら部分領域にそれぞれリモコン（操作入力受付部）の数字キーを関連付ける。そして、ネットワーク画像表示装置は、当該部分領域においてそれぞれ対応する数字キーの番号を表示させる。ユーザが所望の番号の数字キーを押下して部分領域を選択すると、選択された部分領域が自動的に拡大表示される。この拡大表示された部分領域は、ネットワーク画像表示装置によって、さらに複数の部分領域に分割され、各部分領域にリモコンの数字キーが関連付けられ表示される。したがって、ユーザは、リモコンの数字キーを複数回押下するだけで、画面表示領域のなかの所望の部分領域を選択することができる。
【先行技術文献】
【特許文献】
【０００７】
【特許文献１】特開２００５−７９９８８号公報（段落００８３〜００９１、図３）
【特許文献２】特開平１１−２５１１４号公報（段落００２６〜００３２、図６）
【特許文献３】特開２００９−２３７８６５号公報（段落００７４〜００８１、図１）
【発明の概要】
【発明が解決しようとする課題】
【０００８】
しかしながら、上記特許文献２，３のユーザインタフェース技術では、ユーザは、画面とリモコンのキーとを交互に見比べながら、リモコンを操作する必要がある。このため、キー押下の回数が多くなると、キーを押し間違える可能性が高くなり、リモコンと画面との間の視線移動の回数も多くなるので、ユーザの負担が大きい。
【０００９】
また、特許文献２，３のユーザインタフェース技術をインターネット接続機能を有するテレビジョン装置に適用する場合には、リモコンの使用可能なキーが「０」〜「１２」の番号を表す１３個の数字キーしか存在しない場合がある。かかる場合、１３個を超える数の表示項目が画面に現れたときに、ユーザは、「１３」以上の番号を入力するために複数の数字キーを組み合わせて入力しなければならず、リモコン操作が煩雑になり、誤操作が生じやすくなる。
【００１０】
さらに、特許文献２，３のユーザインターフェース技術では、数字や符号の画像を画面に表示させる必要があるので、数字や符号の画像の下にオリジナルの画像の一部が隠れてしまったり、表示項目のレイアウトが崩れたりする場合があり、オリジナル画像の視認性が低下するという問題がある。
【００１１】
上記に鑑みて本発明の目的は、画面に現れる複数の表示項目のなかからユーザ所望の項目を簡便且つ確実に選択することを可能にする映像表示装置、映像表示方法、映像表示制御用プログラム及び記録媒体を提供することである。
【課題を解決するための手段】
【００１２】
本発明による映像表示装置は、データファイルを解析し、その解析結果に基づいて前記データファイルから複数の表示項目にそれぞれ対応する関連情報を抽出するデータ解析部と、前記関連情報に基づいて前記複数の表示項目を複数のグループに分類するグループ生成部と、前記複数のグループのなかから１つのグループを着目グループとして順次選択するグループ選択部と、前記着目グループが選択される毎に、前記着目グループに属する当該表示項目を強調表示する表示形式で画面に表示される表示画像を生成する表示画像生成部と、入力装置への第１の情報入力の有無を監視する入力監視部とを備え、前記グループ生成部は、前記第１の情報入力が検出された時点で選択されている当該着目グループに属する表示項目を新たな複数のグループに分類する分類処理を実行し、前記グループ選択部は、前記新たな複数のグループのなかから着目グループを順次選択する選択処理を実行し、前記表示画像生成部は、前記新たな複数のグループのなかから前記着目グループが選択される毎に、前記新たな複数のグループのうち前記着目グループ以外のグループに属する当該表示項目よりも前記着目グループに属する当該表示項目を強調表示する表示形式で前記画面に表示されるべき表示画像を生成する画像処理を実行し、前記グループ生成部、前記グループ選択部及び前記表示画像生成部は、前記着目グループに属する当該表示項目の個数が所定数以下となるまで、前記分類処理と前記選択処理と前記画像処理とを含む一連の処理を反復して実行することを特徴とする。
【００１３】
本発明による映像表示方法は、データファイルを解析し、その解析結果に基づいて前記データファイルから複数の表示項目にそれぞれ対応する関連情報を抽出するステップと、前記関連情報に基づいて前記複数の表示項目を複数のグループに分類するステップと、前記複数のグループのなかから１つのグループを着目グループとして順次選択するステップと、前記着目グループが選択される毎に、前記着目グループに属する当該表示項目を強調表示する表示形式で画面に表示される表示画像を生成するステップと、入力装置への第１の情報入力の有無を監視するステップと、前記第１の情報入力が検出された時点で選択されている当該着目グループに属する表示項目を新たな複数のグループに分類する分類処理を実行するステップと、前記新たな複数のグループのなかから着目グループを順次選択する選択処理を実行するステップと、前記新たな複数のグループのなかから前記着目グループが選択される毎に、前記新たな複数のグループのうち前記着目グループに属する当該表示項目を強調表示する表示形式で前記画面に表示される表示画像を生成する画像処理を実行するステップとを含み、前記分類処理を実行するステップと前記選択処理を実行するステップと前記画像処理を実行するステップとを含む一連のステップは、前記着目グループに属する当該表示項目の個数が所定数以下となるまで反復して実行されることを特徴とする。
【００１４】
本発明による映像表示制御用プログラムは、コンピュータ読み取り可能な記録媒体から読み出されて、上記映像表示方法のステップをプロセッサに実行させることを特徴とするものである。
【００１５】
本発明によるコンピュータ読み取り可能な記録媒体は、前記映像表示制御用プログラムを記録したことを特徴とするものである。
【発明の効果】
【００１６】
本発明によれば、ユーザは、入力装置に視線移動をすることなく、複数の表示項目のなかから所望の項目を選択することができる。たとえば、入力装置の１つのキーを複数回押下するだけで、複数の表示項目のなかから所望の項目に容易に辿り着くことができる。
【図面の簡単な説明】
【００１７】
【図１】本発明に係る実施の形態１の映像表示装置の主要な構成を概略的に示す機能ブロック図である。
【図２】実施の形態１の映像表示装置、通信ネットワーク及び複数のデータサーバの接続形態の一例を概略的に示す図である。
【図３】実施の形態１の操作入力装置の一例であるリモートコントローラの外観図である。
【図４】表示画面に表示されたサービスメニュー画像の一例を示す図である。
【図５】表示画面に表示されたサービスメニュー画像の他の例を示す図である。
【図６】ウェブページの表示画像（ページ画像）を示す図である。
【図７】実施の形態１のデータ解析部により抽出された表示項目の例を示す図である。
【図８】ウェブページの表示画像（ページ画像）を示す図である。
【図９】ウェブページに含まれるＨＴＭＬファイルの記述内容の一部を示す図である。
【図１０】スタイルシートファイルの記述内容の一部を示す図である。
【図１１】リンクＩＤとこれに対応する表示項目の座標位置との対応関係を示すテーブルの内容の一例を示す図である。
【図１２】初期状態のリンクテーブルの一例を示す図である。
【図１３】実施の形態１に係るウェブページ閲覧処理の手順を概略的に示すフローチャートである。
【図１４】実施の形態１に係るウェブページ閲覧処理の手順を概略的に示すフローチャートである。
【図１５】３つのリンクグループＧｐ１，Ｇｐ２，Ｇｐ３に分類（グループ分け）された複数の表示項目を例示する図である。
【図１６】図１５の分類（グループ分け）に応じて、図１２のリンクテーブルのグループＩＤを書き換えることで更新されたリンクテーブルを示す図である。
【図１７】図１５のリンクグループＧｐ１に属する表示項目が強調表示された表示画像を例示する図である。
【図１８】図１５のリンクグループＧｐ２に属する表示項目が強調表示された表示画像を例示する図である。
【図１９】図１５のリンクグループＧｐ３に属する表示項目が強調表示された表示画像を例示する図である。
【図２０】３つのリンクグループＧｐ１，Ｇｐ２，Ｇｐ３に再分類（グループ分け）された複数の表示項目を例示する図である。
【図２１】図２０の分類（グループ分け）に応じて、図１６のリンクテーブルのグループＩＤを書き換えることで更新されたリンクテーブルを示す図である。
【図２２】図２０のリンクグループＧｐ１に属する表示項目が強調表示された表示画像を例示する図である。
【図２３】図２０のリンクグループＧｐ２に属する表示項目が強調表示された表示画像を例示する図である。
【図２４】図２０のリンクグループＧｐ３に属する表示項目が強調表示された表示画像を例示する図である。
【図２５】３つのリンクグループＧｐ１，Ｇｐ２，Ｇｐ３に再分類（グループ分け）された複数の表示項目を例示する図である。
【図２６】図２５の分類（グループ分け）に応じて、図２１のリンクテーブルのグループＩＤを書き換えることで更新されたリンクテーブルを示す図である。
【図２７】２つのリンクグループＧｐ１，Ｇｐ２に再分類（グループ分け）された複数の表示項目を例示する図である。
【図２８】図２７の分類（グループ分け）に応じて、図２６のリンクテーブルのグループＩＤを書き換えることで更新されたリンクテーブルを示す図である。
【図２９】実施の形態１の変形例である実施の形態２に係るウェブページ閲覧処理の手順を概略的に示すフローチャートである。
【図３０】実施の形態３に係るウェブページ閲覧処理の手順を概略的に示すフローチャートである。
【図３１】実施の形態３に係るウェブページ閲覧処理の手順を概略的に示すフローチャートである。
【図３２】プログラムで実現される場合の映像表示装置１の構成を概略的に示す機能ブロック図である。
【発明を実施するための形態】
【００１８】
以下、本発明に係る種々の実施の形態について図面を参照しつつ説明する。
【００１９】
実施の形態１．
図１は、本発明に係る実施の形態１の映像表示装置１の主要な構成を概略的に示す機能ブロック図である。図１に示されるように、この映像表示装置１は、画像表示部１１及び表示制御部１２を備えている。
【００２０】
画像表示部１１は、表示制御部１２から出力された映像信号に基づいて、映像や文字を表示画面１１Ｄに映し出すためのディスプレイ装置であり、たとえば、液晶ディスプレイやプラズマディスプレイで構成することができる。表示制御部１２は、文字情報やグラフィックス情報や画像情報などに基づく画像を画像表示部１１に表示させるために映像信号を生成する機能を有する。ここで、グラフィックス情報は、円や直線などの幾何学的図形や関数曲線などで構成される図を表示するための情報である。また、画像情報としては、たとえば、写真画像などのビットマップ形式に加工された情報が挙げられる。
【００２１】
また、映像表示装置１は、通信ネットワーク２上のデータサーバから、ウェブページや画像ファイルや音声ファイルなどのデータファイルを取得し、このデータファイルに基づいて表示画像を生成する機能を有する。このようなネットワークサービスを利用する機能を実現するために、映像表示装置１は、表示画像生成部１３、データ解析部１４、データ取得部１５、ネットワーク通信部１６、リンクグループ生成部１７、リンク選択部１８及び部品格納部２１を備えている。これら構成要素１３〜１８，２１は、いずれも、表示制御部１２の制御を受けて動作するものである。なお、画像ファイルや音声ファイルについては、これらをストリーミング形式あるいはダウンロード形式のいずれの形式でも取得することができる。
【００２２】
図１に示されるように、ネットワーク通信部１６は、通信ネットワーク２に接続されている。通信ネットワーク２は、インターネットやＷＡＮ（広域ネットワーク）などの大規模ネットワーク、あるいは、ＬＡＮ（Ｌｏｃａｌ  Ａｒｅａ  Ｎｅｔｗｏｒｋ）やホームネットワークなどの小規模ネットワークである。
【００２３】
図２は、映像表示装置１、通信ネットワーク２及び複数のデータサーバＳＶ１，ＳＶ２，…，ＳＶＮ（Ｎは３以上の整数）の接続形態の一例を概略的に示す図である。ネットワーク通信部１６は、データ取得部１５からの要求に応じて、データサーバＳＶ１〜ＳＶＮのなかからアクセス先のデータサーバＳＶｋとの通信リンクを確立する。そして、ネットワーク通信部１６は、当該要求により指定されたデータファイルをデータサーバＳＶｋから取得することができる。
【００２４】
ネットワーク通信部１６は、ＨＴＴＰ（Ｈｙｐｅｒｔｅｘｔ  Ｔｒａｎｓｆｅｒ  Ｐｒｏｔｏｃｏｌ）、ＨＴＴＰＳ（ＨＴＴＰ  ｏｖｅｒ  Ｓｅｃｕｒｅ  Ｓｏｃｋｅｔ  Ｌａｙｅｒ）あるいはＳＨＴＴＰ（Ｓｅｃｕｒｅ  Ｈｙｐｅｒｔｅｘｔ  Ｔｒａｎｓｆｅｒ  Ｐｒｏｔｏｃｏｌ）などの通信プロトコルに従って、データサーバＳＶ１〜ＳＶＮのいずれかから、アドレス情報で指定されるウェブページをデータファイルとして取得する機能を有する。ここで、アドレス情報とは、通信ネットワーク２におけるウェブページなどのリソースの所在位置を特定するための識別子であり、リソース特定アドレスと呼ぶこともできる。たとえば、ＵＲＩ（Ｕｎｉｆｏｒｍ  Ｒｅｓｏｕｒｃｅ  Ｉｄｅｎｔｉｆｉｅｒ）、ＩＰアドレスもしくはポート番号、またはこれらの２以上の組み合わせをアドレス情報として使用することができる。なお、ＵＲＬ（Ｕｎｉｆｏｒｍ  Ｒｅｓｏｕｒｃｅ  Ｌｏｃａｔｏｒ）は、ＵＲＩのサブセットである。ウェブページは、ＨＴＭＬ（Ｈｙｐｅｒ  Ｔｅｘｔ  Ｍａｒｋｕｐ  Ｌａｎｇｕａｇｅ）、ＸＨＴＭＬ（Ｅｘｔｅｎｓｉｂｌｅ  Ｈｙｐｅｒｔｅｘｔ  Ｍａｒｋｕｐ  Ｌａｎｇｕａｇｅ）、あるいはＸＭＬ（Ｅｘｔｅｎｓｉｂｌｅ  Ｍａｒｋｕｐ  Ｌａｎｇｕａｇｅ）などのマークアップ言語で記述された情報を有する構造化データファイルを含むものである。また、ウェブページは、当該構造化データファイルに含まれる表示項目の表示形式などを指定する表示制御情報（表示スタイル）を有するスタイルシートファイルをも含む場合がある。この種のスタイルシートファイルとしては、たとえば、公知のＣＳＳ（Ｃａｓｃａｄｉｎｇ  Ｓｔｙｌｅ  Ｓｈｅｅｔｓ）ファイルが挙げられる。
【００２５】
映像表示装置１は、表示制御部１２の制御を受けて動作する放送受信部２２を有している。この放送受信部２２は、表示制御部１２からの指示に応じて、アンテナ２２Ａで受信すべき放送局を選局し、この放送局の放送信号を受信するチューナ機能を有する。放送受信部２２は、地上波デジタル放送、衛星デジタル放送および有線デジタル放送のうちの１つまたは複数の放送波を受信する機能を有していればよいが、これらに限定されるものではない。たとえば、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式に準拠した地上波デジタル放送を受信する機能を有する場合、放送受信部２２は、放送波の受信信号を周波数変換してＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調信号を生成し、ＯＦＤＭ変調信号を復調してＭＰＥＧ−２規格によるトランスポートストリームを生成する。放送受信部２２は、トランスポートストリームから画像データを構成しこれを表示制御部１２に出力する。表示制御部１２は、その画像データに基づいて映像信号を生成する。なお、映像表示装置１は、映像信号に同期した音声信号をスピーカ（図示せず）に出力する機能（図示せず）をも有している。
【００２６】
また、放送受信部２２は、データ放送を受信する機能をも有しており、放送用のマークアップ言語であるＢＭＬ（Ｂｒｏａｄｃａｓｔ  Ｍａｒｋｕｐ  Ｌａｎｇｕａｇｅ）で記述された構造化データファイル（以下、ＢＭＬファイルと呼ぶ。）を含むウェブページをトランスポートストリームから抽出することもできる。このウェブページは、当該構造化データファイルに含まれる表示項目の表示形式（表示スタイル）などを指定する表示制御情報を有するスタイルシートファイルを含む場合がある。
【００２７】
図１に示されるように、映像表示装置１は、操作入力装置２３への操作入力を受け付ける入力受信部２０と、この操作入力の有無を監視する入力監視部１９とを備える。入力受信部２０と操作入力装置２３とは、たとえば、赤外線通信により相互に接続されている。赤外線通信の代わりに、ケーブルなどの有線を使用して入力受信部２０と操作入力装置２３とを相互に接続してもよい。なお、赤外線通信に代えて、Ｂｌｕｅｔｏｏｔｈ（登録商標）、無線ＬＡＮもしくはＵＷＢ（Ｕｌｔｒａ  ＷｉｄｅＢａｎｄ）などの近距離無線通信を使用することも可能である。
【００２８】
操作入力装置２３には、たとえば、キー入力装置（たとえば、キーボードやリモートコントローラ）あるいはポインティングデバイス（たとえば、マウス）を使用することができる。操作入力装置２３は、ユーザにより操作入力された指令情報を入力受信部２０に送信する機能を有する。入力受信部２０は、操作入力装置２３から受信した指令情報を入力監視部１９に転送する。入力監視部１９は、入力受信部２０から受信した指令情報を解析し、その解析結果に対応するコードを生成し表示制御部１２またはグループ選択部１８に出力する。表示制御部１２は、コードに応じた制御を実行するので、ユーザは、操作入力装置２３を操作して、上記ネットワークサービスを利用する機能あるいはチューナ機能のうちのいずれか一方の機能を選択することができる。
【００２９】
図３は、操作入力装置２３の一例であるリモートコントローラの外観図である。図３の操作入力装置２３には、「メニュー」ボタン、「電源」ボタン、「入力切換」ボタン、及び、「１」〜「９」，「１０／０」，「１１」，「１２」の番号が付された数字キーが設けられている。また、操作入力装置２３には、カーソル移動用あるいは表示項目選択用の方向キー３１〜３４及び決定キー３５が設けられている。ユーザは、「メニュー」ボタンを押下すると、これに応じて表示制御部１２は、たとえば、図４（ａ）または図５に示されるサービスメニュー画像を表示画面１１Ｄに表示させる。これらサービスメニュー画像は、「動画を見る」、「ニュースを見る」及び「天気予報を見る」という文字列がそれぞれ付された３つの選択可能領域すなわち表示項目（選択項目）４１，４２，４３を含む。これら表示項目４１，４２，４３には、それぞれ異なるリンク情報が割り当てられており、ユーザは、操作入力装置２３を操作してこれら表示項目４１〜４３のいずれかを選択する（すなわち、表示項目４１〜４３のいずれかにフォーカスを当てる）ことができる。
【００３０】
図４（ａ）に示されるように矢印形のカーソル１１ｃが表示される場合、ユーザは、図３の操作入力装置２３の方向キー３１〜３４（十字キー）を押下することで、カーソル１１ｃを表示項目４１〜４３のいずれかの領域上に移動させることができる。ここで、方向キー３１，３２，３３，３４は、それぞれ、カーソル１１ｃを上方、下方、左方及び右方に移動させるキーである。表示項目４１〜４３のうちカーソル１１ｃの位置と重なる表示項目がリアルタイムに選択され、当該表示項目にフォーカスが当てられる。図４（ｂ）では、フォーカスが当てられた表示項目４３が強調表示されており、表示項目４３の表示領域を囲むように強調表示のための枠が描画されている。なお、操作入力装置２３としてマウスなどのポインティングデバイスを使用して、カーソル１１ｃを移動させることも可能である。一方、カーソル１１ｃが表示されない場合は、図５に例示されるように、下方向キー３２を２回押下することで、フォーカスを当てる位置を上方の表示項目４１から下方の表示項目４３に移動させることができる。
【００３１】
たとえば、ユーザが「動画を見る」の表示項目４１にフォーカスを当てて決定キー３５を押下すると、表示制御部１２は、これに応じて、表示項目４１に埋め込まれた（関連付けられた）リンク情報で指定されるデータファイルをデータ取得部１５に取得させる。すなわち、データ取得部１５は、ネットワーク通信部１６を介して、通信ネットワーク２上のリソース（ネットワーク資源）である当該データファイルにアクセスする。データ解析部１４は、データ取得部１５で取得されたデータファイルを解析し、その解析結果を表示画像生成部１３に与える。表示画像生成部１３は、その解析結果に基づいて表示画像を生成する。ここで、部品格納部２１は、データファイルから抽出された画像データや音声データなどの部品を一時的に格納するデータ記憶領域である。表示画像生成部１３は、必要に応じて、部品格納部２１から部品を読み出し、当該部品を用いて表示画像を構成することができる。
【００３２】
図６は、データ取得部１５で取得されたデータファイルの一例であるウェブページの表示画像（ページ画像）を示す図である。図６の表示画面１１Ｄにおいては、「メニュー」，「最新情報」，「北極物語」，…などの文字列がそれぞれ付された多数の表示項目が配列されている。映像表示装置１が通常の選択モードで動作するとき、ユーザは、図３の操作入力装置２３の方向キー３１〜３４を押下することで、所望の表示項目に辿り着くことができる。たとえば、図６に矢印で示されるように、ユーザは、右方向キー３４を３回押下することで、「メニュー」を示す表示項目から「サッカーアジアカップ」を示す表示項目へフォーカスを当てる位置を移動させ、次に、下方向キー３２を５回押下することで「サッカーアジアカップ」を示す表示項目から「イベント」を示す表示項目へフォーカスを当てる位置を移動させ、そして、右方向キー３４を１回押下することで「ショッピング」を示す表示項目に辿り着く（フォーカスを当てる位置を移動させる）ことができる。
【００３３】
しかしながら、このような通常の選択モードでは、ユーザは、表示画面１１Ｄと操作入力装置２３のキーとの間を交互に視線移動させながら、操作入力装置２３を操作する必要があるので、操作が煩雑となり、ユーザの負担も大きい。
【００３４】
本実施の形態の映像表示装置１は、ユーザが１つの決定キー３５を複数回押下するだけで所望の表示項目に辿り着くことができる動作モード（以下、簡易選択モードと呼ぶ。）を有している。以下、この簡易選択モードについて説明する。
【００３５】
簡易選択モード時においては、データ解析部１４は、データ取得部１５で取得されたウェブページを解析し、このウェブページから選択可能な表示項目を抽出する。各表示項目には、たとえば、文字情報、グラフィックス情報、レイアウト情報あるいはリンク情報が関連付けられている。
【００３６】
図７（ａ）〜（ｍ）は、データ解析部１４により抽出された表示項目の例を示す図である。図７（ａ）〜（ｍ）に示す表示項目は、図８に示す仮想線で囲まれた領域ＤＡに含まれる、「みんなでねっと」，「動画を見る」，「メニュー」，「最新情報」，「外国映画」，「日本映画」，「外国ドラマ」，「国内ドラマ」，「スポーツ」，「音楽」，「アニメ」，「お笑い」及び「ジャンル別」という文字列を表す表示項目である。
【００３７】
図９は、図８の表示画像の基となるウェブページに含まれるＨＴＭＬファイルの記述内容の一部を示す図である。説明の便宜上、図９には、図８に示した領域ＤＡに含まれる表示項目に関する記述のみが示されている。ＨＴＭＬファイルは、文字コードで構成されるテキスト形式のファイルであり、記号「＜」および「＞」で囲まれたタグによって要素を明示することで論理構造を規定する構造化データファイルである。
【００３８】
図９に示されるように、開始タグ＜ＢＯＤＹ＞と終了タグ＜／ＢＯＤＹ＞とで囲まれた部分が、表示内容の構成を記述する部分である。また、開始タグ＜Ｈ１＞と終了タグ＜／Ｈ１＞とで囲まれた部分が、図８の表示内容の見出しを示している。この例では、架空のウェブサービス名「みんなでねっと」が見出しとなっている。この見出しに対して、「ｈｒｅｆ」属性によって、ＵＲＬ「ｈｔｔｐ：／／ｗｗｗ．ｍｉｎｎａ．ｄｅ．ｎｅｔ．ｃｏ．ｊｐ／ｉｎｄｅｘ．ｈｔｍｌ」へのリンクが貼られている。また、図８の表示画像では、単に「みんなでねっと」との文字列が表示されているように見えるが、実際には「みんなでねっと」との文字列を表す画像ファイルを、タグ＜ＩＭＧ＞によって指定して、図８の表示画像に組み込むことが行われている。ここで使用される画像ファイルは、タグ＜ＩＭＧ＞に含まれている「ｓｒｃ」属性によって、データサーバ（ウェブサーバ）ＳＶｋ上のパス「ｍｉｎｎａ＿ｈｏｍｅ．ｆｉｌｅｓ」で指定されるディレクトリ以下に格納された「ｌｏｇｏ．ｊｐｇ」という名前のファイルである。このファイルの画像サイズは、「ｈｅｉｇｈｔ」属性と「ｗｉｄｔｈ」属性で示されている通り、高さ６０ピクセル、幅３００ピクセルである。なお、「ａｌｔ」属性は、このＨＴＭＬファイルを読み込み処理するウェブブラウザが、画像ファイルを表示する機能を持たない場合に表示される文字列を指定するものである。
【００３９】
また、開始タグ＜Ｐ＞と終了タグ＜／Ｐ＞とで囲まれた部分が１つの段落を示している。この例では、この段落以降の記述が、「動画を見る」サービスに関するリンク情報が並んでいることを示すものである。この段落自身にはリンク情報が記述されていない。また、見出しと同様に、単なる文字列ではなく、「動画を見る」との文字列を表す画像ファイルをタグ＜ＩＭＧ＞によって指定して、図８の表示画像に組み込むことが行われている。ここで使用される画像ファイルは、タグ＜ＩＭＧ＞に含まれている「ｓｒｃ」属性によってデータサーバ（Ｗｅｂサーバ）ＳＶｋ上のパス「ｍｉｎｎａ＿ｈｏｍｅ．ｆｉｌｅｓ」で指定されるディレクトリ以下に格納された「ｗａｔｃｈｖｉｄｅｏ．ｊｐｇ」であり、その画像サイズは、「ｈｅｉｇｈｔ」属性と「ｗｉｄｔｈ」属性とで示されている通り、高さ４０ピクセル、幅１７０ピクセルである。
【００４０】
また、開始タグ＜ＵＬ＞と終了タグ＜／ＵＬ＞とで囲まれた部分は、その表示範囲が複数の要素から構成されるリストであることを示している。この例では、「メニュー」から「ジャンル別」まで１１種類の選択可能なサービスを示す表示項目がリスト化されている。
【００４１】
リスト中の各要素は、開始タグ＜ＬＩ＞と終了タグ＜／ＬＩ＞とで囲まれた部分である。たとえば、１つめの要素は「ｈｒｅｆ」属性で指定されている通り、「ｈｔｔｐ：／／ｗｗｗ．ｍｉｎｎａ．ｄｅ．ｎｅｔ．ｃｏ．ｊｐ／ｍｅｎｕ．ｈｔｍｌ」へのリンクが貼られている。また「メニュー」と言う文字が描かれた画像ファイル１０３をタグ＜ＩＭＧ＞によって指定して画面に貼り付けている。ここで使用される画像ファイルはタグ＜ＩＭＧ＞に含まれている「ｓｒｃ」属性によってデータサーバＳＶｋ上のパスｍｉｎｎａ＿ｈｏｍｅ．ｆｉｌｅｓで示されるディレクトリ以下のｂｔｎ＿ｓｖ０１．ｊｐｇであり、サイズは「ｈｅｉｇｈｔ」属性と「ｗｉｄｔｈ」属性で示されている通り、高さ４０ピクセル、幅１５０ピクセルである。以下、同様に合計１１種類のリンクを参照する要素が定義されている。
【００４２】
図８には、動画配信サイト用の表示画像が示されている。この表示画像の領域ＤＡでは、「メニュー」から「ジャンル別」まで１１種類の画像ファイルが、行列形式で整列するように配置されている。図９のＨＴＭＬファイルには、前述した通り、リストの要素として画像ファイルのサイズは定義されているが、各画像ファイルを配置する位置は定められていない。その配置する位置を示す配置情報は、スタイルシートと呼ばれる別のテキストファイル（スタイルシートファイル）に定義されている。
【００４３】
このスタイルシートは、ＨＴＭＬファイルのヘッダー部を示す開始タグ＜ＨＥＡＤ＞と終了タグ＜／ＨＥＡＤ＞とで囲まれた領域中のタグ＜ＬＩＮＫ＞の「ｈｒｅｆ」属性で参照されている。この例では、データサーバＳＶｋ上のパス「ｍｉｎｎａ＿ｈｏｍｅ．ｆｉｌｅｓ」で指定されるディレクトリ以下に格納されている「ｔｏｐ．ｃｓｓ」という名称のファイルがスタイルシートである。このスタイルシートの記述内容を図１０に示す。
【００４４】
図１０の上から１行目より３行目までの記述は、リスト全体に対する位置情報を示している。記述「ＵＬ．ｖｉｄｅｏＳｅｒｖｉｃｅＡｒｅａ」は、この位置情報の対象のリストが「ｖｉｄｅｏＳｅｒｖｉｃｅＡｒｅａ」であることを示している。この名称は、図９のＨＴＭＬファイルにおけるタグ＜ＵＬ＞の「ｃｌａｓｓ」属性で示した名称である。記述「Ｐｏｓｉｔｉｏｎ：ａｂｓｏｌｕｔｅ」はリスト「ｖｉｄｅｏＳｅｒｖｉｃｅＡｒｅａ」の各要素の配置座標を絶対位置で表すことを示す。
【００４５】
図１０の上から４行目より６行目までの記述も、リスト全体に対する位置情報を示す。記述「ＵＬ．ｖｉｄｅｏＳｅｒｖｉｃｅＡｒｅａ  ＬＩ．ｖｓｅｒｖｉｃｅ０１」はこの３行の位置情報の対象はリスト「ｖｉｄｅｏＳｅｒｖｉｃｅＡｒｅａ」に属する要素「ｖｓｅｒｖｉｃｅ０１」であることを示す。この名称は、図９のＨＴＭＬファイルにおけるタグ＜ＬＩ＞の「ｃｌａｓｓ」属性で示した名称である。また、「ｖｓｅｒｖｉｃｅ０１」は「メニュー」のリンク情報を含む要素である。
【００４６】
記述「ＬＥＦＴ:１０ｐｘ;ＴＯＰ:０ｐｘ」は「ｖｓｅｒｖｉｃｅ０１」の「メニュー」画像ファイル中の左上角の点の配置座標を示す。この配置座標は、リスト「ｖｉｄｅｏＳｅｒｖｉｃｅＡｒｅａ」の左上を基準にした位置を示すものであり、この記述は、左から１０ピクセル、上から０ピクセルの位置に「メニュー」画像ファイル中の左上角点が位置することを指定するものである。
【００４７】
表示画像の左上角を基準とした場合、リスト「ｖｉｄｅｏＳｅｒｖｉｃｅＡｒｅａ」は見出し「みんなでねっと」の画像ファイルと段落「動画を見る」の画像ファイルを縦に配置した領域の下に配置されるため、リスト「ｖｉｄｅｏＳｅｒｖｉｃｅＡｒｅａ」の基準点の座標は左から０ピクセル、上から１００ピクセルの位置になる。このため、「メニュー」画像ファイルの位置を画面表示領域全体の座標に換算すると画面の左上角を基準とした場合左から１０ピクセル、上から１００ピクセルとなる。残りの１０種類の画像ファイルに対しても同様の書式で配置座標が規定されており、その結果、表示画像は図８のように見える。
【００４８】
以上より、図９のＨＴＭＬファイルに基づいて生成される画像には、１つの見出しと、１１種類のリスト要素とについて１２個のリンク情報が含まれていることがわかる。この結果として、図１０の領域ＤＡには１２個の選択可能領域すなわち表示項目が存在する。
【００４９】
データ解析部１４は、ウェブページに含まれるＨＴＭＬファイルとスタイルシートファイルとを解析することで各表示項目の表示位置（座標）を特定する。また、データ解析部１４は、これら複数の表示項目に対してそれぞれリンクＩＤと呼ぶ識別子を割り当て、リンクＩＤとこれに対応する表示項目の表示位置との対応関係を示すテーブルを生成する。図１１は、このテーブルの内容の一例を示す図である。各表示項目に対して固有のリンクＩＤが割り当てられており、各リンクＩＤに対して、水平画素位置Ｘと垂直画素位置Ｙとの組（すなわち表示位置）が関連付けられている。ここで、水平画素位置は、画面左端を基準とする水平方向の画素数であり、垂直画素位置は、画面上端を基準とする垂直方向の画素数である。データ解析部１４は、さらに、リンクＩＤと表示位置とグループＩＤとの対応関係を定めるテーブル（以下、リンクテーブルと呼ぶ。）を生成する。図１２は、データ解析部１４によって生成される初期状態のリンクテーブルの一例を示す図である。初期状態のリンクテーブルでは、全てのリンクＩＤに対するグループＩＤの値として「０」の値が設定されている。
【００５０】
次に、図１３及び図１４を参照しつつ、リンクテーブルを用いたウェブページ閲覧処理について説明する。図１３及び図１４は、実施の形態１に係るウェブページ閲覧処理の手順を概略的に示すフローチャートである。図１３及び図１４のフローチャートは、接続子Ｃ１，Ｃ２を介して相互に接続されている。
【００５１】
表示制御部１２は、ウェブページの閲覧要求を示すコードを入力監視部１９から受信すると、これに応じてウェブページ閲覧処理を開始させる。まず、表示制御部１２は、データ取得部１５を介してネットワーク通信部１６に対して、当該ウェブページを構成するＨＴＭＬファイルの取得要求を行う（ステップＳ１０）。この取得要求に応じて、ネットワーク通信部１６は、通信ネットワーク２上のデータサーバＳＶｋからＨＴＭＬファイルを取得する（ステップＳ１１）。そして、データ取得部１５は、ネットワーク通信部１６で受信されたＨＴＭＬファイルのデータを読み込む（ステップＳ１２）。
【００５２】
たとえば、ＨＴＭＬファイルの取得要求がアドレス情報としてのＵＲＬを含む場合、ネットワーク通信部１６は、データサーバＳＶｋとの通信リンクを確立した後、ＵＲＬを指定するＧＥＴメソッドを用いてＨＴＴＰリクエストを当該データサーバＳＶｋに送信する。データサーバＳＶｋは、このＨＴＴＰリクエストに対するＨＴＴＰレスポンスの形で当該ＨＴＭＬファイルのデータをネットワーク通信部１６に送信する。データ取得部１５は、ネットワーク通信部１６で受信されたＨＴＴＰレスポンスからＨＴＭＬファイルのデータを抽出し、このデータをデータ取得部１５に引き渡す。
【００５３】
次に、データ解析部１４は、前記ステップＳ１２で読み込まれたＨＴＭＬファイルを解析し（ステップＳ１３）、その解析結果に基づいて、ＨＴＭＬファイルで参照されている参照ファイルが存在しないと判定した場合は（ステップＳ１４のＮＯ）、ステップＳ２０に手順を移行させる。ここで、参照ファイルとしては、たとえば、上述のスタイルシートファイルや画像ファイルやスクリプトファイルなどが挙げられる。データ解析部１４は、たとえば、上述のタグ＜ＬＩＮＫ＞やタグ＜ＩＭＧ＞の記述に基づいて参照ファイルの有無を判断することができる。
【００５４】
一方、参照ファイルが存在すると判定した場合は（ステップＳ１４のＹＥＳ）、データ解析部１４は、データ取得部１５を介してネットワーク通信部１６に対して参照ファイルの取得要求を行う（ステップＳ１５）。この取得要求に応じて、ネットワーク通信部１６は、たとえばＨＴＴＰのＧＥＴメソッドを用いて、データサーバＳＶｋから参照ファイルを取得する（ステップＳ１６）。そして、データ解析部１４は、データ取得部１５を介してネットワーク通信部１６で受信された参照ファイルのデータを読み込む（ステップＳ１７）。ここで、データ解析部１４は、読み込んだ参照ファイルがスタイルシートファイルの場合はそのまま保持する。他方、参照ファイルがスタイルシートファイル以外のファイル（たとえば、画像ファイル）の場合は、このファイルを部品格納部２１に格納する。
【００５５】
次いで、データ解析部１４は、全ての参照ファイルを読み込んだか否かを判定する（ステップＳ１８）。全ての参照ファイルを読み込んでいないと判定した場合は（ステップＳ１８のＮＯ）、データ解析部１４は、全ての参照ファイルを読み込むまで、ステップＳ１５〜Ｓ１７の手順を実行する。全ての参照ファイルが読み込まれたとき（ステップＳ１８のＹＥＳ）、データ解析部１４は、ステップＳ２０に手順を移行させる。
【００５６】
ステップＳ２０では、データ解析部１４は、ウェブページからリンク情報を抽出する。具体的には、データ解析部１４は、ステップＳ１４で参照ファイルが存在しないと判定していた場合には、ＨＴＭＬファイルを解析し、その解析結果に基づいてＨＴＭＬファイルからリンク情報を抽出する。一方、ステップＳ１４で参照ファイルが存在すると判定され且つスタイルシートファイルが取得されていた場合には、ＨＴＭＬファイルとスタイルシートファイルとを解析し、その解析結果に基づいてリンク情報を抽出する。
【００５７】
次いで、データ解析部１４は、たとえば図１２に示したような初期状態のリンクテーブルを生成する（ステップＳ２１）。この初期状態のリンクテーブルでは、各表示項目について、属性情報として、固有のリンクＩＤと、表示位置（水平画素位置及び垂直画素位置）とグループＩＤとが設定される。なお、グループＩＤは、今後のステップで表示項目（リンク）を分類する際に割り当てられる固有の番号であり、この時点では、全ての表示項目に対するグループＩＤの値は初期値（＝０）に設定されている。データ解析部１４は、生成されたリンクテーブルをリンクグループ生成部１７に引き渡す。
【００５８】
次に、リンクグループ生成部１７は、抽出されたリンク情報に基づいて、当該リンク情報に対応する単数または複数の表示項目（リンク）を分類してリンクグループを生成する（ステップＳ２２）。具体的には、リンクグループ生成部１７は、表示位置に基づいて表示項目の分類を行い、各リンクグループに対して固有の識別子（グループＩＤ）を割り当ててリンクテーブルを更新する。リンクグループ生成部１７は、更新後のリンクテーブルをグループ選択部１８に引き渡す。なお、リンク情報が１つだけであり、このリンク情報に対応する表示項目も１つしか存在しない場合には、１つの表示項目を含む１つのリンクグループだけが生成される。
【００５９】
図１５は、表示画面１１Ｄの上端からの表示位置（垂直画素位置）に応じて、仮想線で囲まれる３つのリンクグループＧｐ１，Ｇｐ２，Ｇｐ３に分類（グループ分け）された複数の表示項目を例示する図である。図１５の例では、リンクグループ生成部１７は、表示画面１１Ｄの上端からの垂直画素位置が０以上２００未満の表示項目をリンクグループＧｐ１に分類し、垂直画素位置が２００以上４００未満の表示項目をリンクグループＧｐ２に分類し、垂直画素位置が４００以上の表示項目をリンクグループＧｐ３に分類している。また、リンクグループＧｐ１には「１」の値が、リンクグループＧｐ２には「２」の値が、リンクグループＧｐ３には「３」の値がそれぞれグループＩＤとして割り当てられる。図１６は、図１５の分類（グループ分け）に応じて、図１２のリンクテーブルのグループＩＤを書き換えることで更新されたリンクテーブルを示す図である。
【００６０】
リンクグループの生成後、グループ選択部１８は、引き渡されたリンクテーブルを参照し、生成されたリンクグループのなかからフォーカスの対象となるリンクグループすなわち着目グループを１つ選択する（ステップＳ２３）。このとき、グループ選択部１８は、フォーカスの対象となるリンクグループのグループ番号であるグループＩＤとリンクテーブルとを表示画像生成部１３に引き渡す。本実施の形態では、グループＩＤが小さいリンクグループから順に着目グループが選択されるので、ステップＳ２３で最初に選択される着目グループは、リンクグループＧｐ１（グループＩＤ＝１）である。
【００６１】
次いで、表示画像生成部１３は、着目グループに属する表示項目を強調表示する表示形式で表示画像を生成する（ステップＳ２４）。具体的には、表示画像生成部１３は、データ解析部１４からＨＴＭＬファイルやスタイルシートファイルを受け取り、部品格納部２１から参照ファイルを読み出す。そして、表示画像生成部１３は、これらＨＴＭＬファイル、スタイルシートファイル及び参照ファイルに基づいて、着目グループに属する表示項目をフォーカスが当てられた表示項目として強調表示させた表示画像（ページ画像）を生成する。強調表示の方法は、特に制限されるものではないが、たとえば、着目グループに属する表示項目の領域に色のついた透過的な画像をＯＳＤ表示（重畳表示）させたり、着目グループに属する表示項目の周縁境界部分を太線で囲ったりする画像処理を行うことができる。これにより、ユーザは、着目グループに属する表示項目にフォーカスが当てられていることを視認することができる。
【００６２】
そして、表示制御部１２は、その表示画像の映像信号を画像表示部１１に出力する（ステップＳ２５）。これにより、画像表示部１１の表示画面１１Ｄに表示画像が表示される。図１７は、図１５のリンクグループＧｐ１に属する表示項目が強調表示された表示画像を例示する図である。
【００６３】
その後、グループ選択部１８は、操作入力状態を確認する（ステップＳ２６）。具体的には、ユーザが図３の操作入力装置２３の決定キー３５を押下すると、この押下に対応したコードが入力監視部１９から出力されるので、グループ選択部１８は、決定キー３５の押下（第１の情報入力）を示すコードが入力監視部１９から出力されたか否かを確認することができる。なお、決定キー３５の押下を検出しないとき、入力監視部１９は、グループ選択部１８にその旨のコードを送る（通知する）。
【００６４】
グループ選択部１８は、決定キー３５の押下を確認しないときは（ステップＳ２７のＮＯ）、さらに、所定のリンク遷移時間が経過したか否かを判定し（ステップＳ２９）、リンク遷移時間が経過していないと判定したときは（ステップＳ２９のＮＯ）、再びステップＳ２６の処理を実行する。リンク遷移時間は、フォーカスの対象を次のリンクグループに自動的に切替えるまでの待ち時間であり、任意の値（たとえば、０．５秒）に設定することができる。
【００６５】
リンク遷移時間が経過したとき（ステップＳ２９のＹＥＳ）、グループ選択部１８は、フォーカスの対象となる新たなリンクグループを着目グループとして選択する（ステップＳ２３）。このとき、グループ選択部１８は、着目グループのグループＩＤを表示画像生成部１３に引き渡す。そして、表示制御部１２は、その表示画像の映像信号を画像表示部１１に出力する（ステップＳ２５）。これにより、画像表示部１１の表示画面１１Ｄに新たな表示画像が表示される。前回、図１５のリンクグループＧｐ１が選択されたときは、今回は、リンクグループＧｐ２を着目グループとして選択することができる。この場合、図１８に示されるように、リンクグループＧｐ２に属する表示項目が強調表示された表示画像が表示画面１１Ｄに表示されることとなる。
【００６６】
その後、決定キー３５が押下されず（ステップＳ２７のＮＯ）、リンク遷移時間が経過したときは（ステップＳ２９のＹＥＳ）、再び、ステップＳ２３〜Ｓ２６が実行される。前回、図１６のリンクグループＧｐ２が選択されたときは、今回のステップＳ２３では、リンクグループＧｐ３を着目グループとして選択することができる。この場合、図１９に示されるように、リンクグループＧｐ３に属する表示項目が強調表示された表示画像が表示画面１１Ｄに表示されることとなる。
【００６７】
その後は、決定キー３５の押下が検出されるまで、フォーカスの対象となるリンクグループ（グループＩＤ）がラウンドロビン方式で選択される（ステップＳ２３）。よって、図１５のグループ分けの例では、図１７，図１８，図１９，図１７，図１８，図１９…の順にリンク遷移時間が経過するたびに表示画像が更新される。ユーザは、遷移する表示画像を見ながら、自身が選択したい表示項目が含まれているリンクグループにフォーカスが当っている間に決定キー３５を押下することができる。
【００６８】
ユーザが決定キー３５を押下したときは（ステップＳ２７のＹＥＳ）、グループ選択部１８は、決定キー３５の押下の時点で選択されている着目グループに属する表示項目の数が１つだけか否かを判定する（ステップＳ３０）。当該表示項目の数が複数の場合は（ステップＳ３０のＮＯ）、グループ選択部１８は、当該選択されたリンクグループのグループＩＤをリンクグループ生成部１７に通知してステップＳ２２に手順を戻す。その後のステップＳ２２では、リンクグループ生成部１７は、決定キー３５の押下の時点で選択されている着目グループに属する表示項目を分類して新たなリンクグループを生成する。具体的には、リンクグループ生成部１７は、表示位置に基づいて表示項目の再分類を行い、各リンクグループに対して固有の識別子（グループＩＤ）を再度割り当ててリンクテーブルを更新する。リンクグループ生成部１７は、更新後のリンクテーブルをグループ選択部１８に引き渡す。
【００６９】
たとえば、図１９のリンクグループＧｐ３に属する表示項目が強調表示されている間にユーザが決定キー３５を押下したとき、リンクグループＧｐ３に属する表示項目の数は１８個であるため、グループ選択部１８は、リンクグループＧｐ３に属する表示項目の数は１つではないと判定する（ステップＳ３０のＮＯ）。その後のステップＳ２２では、リンクグループ生成部１７は、リンクテーブルに記述されている表示位置に基づいて、リンクグループＧｐ３に属する表示項目を再分類する。図２０は、表示画面１１Ｄの左端からの表示位置（水平画素位置）に応じて、仮想線で囲まれる３つのリンクグループＧｐ１，Ｇｐ２，Ｇｐ３に再分類（グループ分け）された複数の表示項目を例示する図である。図２０の例では、リンクグループ生成部１７は、表示画面１１Ｄの左端左からの水平画素位置が０以上３００未満の表示項目をリンクグループＧｐ１（グループＩＤ＝１）に分類し、水平画素位置が３００以上６００未満の表示項目をリンクグループＧｐ２（グループＩＤ＝２）に分類し、水平画素位置が６００以上の表示項目をリンクグループＧｐ３（グループＩＤ＝３）に分類している。図２１は、図２０の分類（グループ分け）に応じて、図１６のリンクテーブルのグループＩＤを書き換えることで更新されたリンクテーブルを示す図である。図２１に示されるように、ユーザによって選択されなかった表示項目に対応するグループＩＤは、無効を示す値（＝−１）に設定される。
【００７０】
新たなリンクグループの生成後、グループ選択部１８は、上記と同様に、決定キー３５が押下されるまで、ステップＳ２３〜Ｓ２９を反復して実行する。このとき、フォーカスの対象となるリンクグループ（グループＩＤ）がラウンドロビン方式で選択される（ステップＳ２３）。よって、図２０のグループ分けの例では、図２２，図２３，図２４，図２２，図２３，図２４…の順にリンク遷移時間が経過するたびに表示画像が更新される。ユーザは、遷移する表示画像を見ながら、自身が選択したい表示項目が含まれているリンクグループにフォーカスが当っている間に決定キー３５を押下することができる。
【００７１】
たとえば、図２０のリンクグループＧｐ３に属する表示項目が強調表示されている間にユーザが決定キー３５を押下したとき、リンクグループＧｐ３に属する表示項目の数は６個であるため、グループ選択部１８は、リンクグループＧｐ３に属する表示項目の数は１つではないと判定する（ステップＳ３０のＮＯ）。その後のステップＳ２２では、リンクグループ生成部１７は、リンクテーブルに記述されている表示位置に基づいて、リンクグループＧｐ３に属する表示項目を再分類する。図２５は、表示画面１１Ｄの上端からの表示位置（垂直画素位置）に応じて、仮想線で囲まれる３つのリンクグループＧｐ１，Ｇｐ２，Ｇｐ３に再分類（グループ分け）された複数の表示項目を例示する図である。図２６は、図２５の再分類（グループ分け）に応じて、図２１のリンクテーブルのグループＩＤを書き換えることで更新されたリンクテーブルを示す図である。図２６に示されるように、ユーザによって選択されなかった表示項目に対応するグループＩＤは、無効を示す値（＝−１）に設定される。
【００７２】
新たなリンクグループの生成後、グループ選択部１８は、上記と同様に、決定キー３５が押下されるまで、ステップＳ２３〜Ｓ２９を反復して実行する。よって、図２５のグループ分けの例では、リンクグループＧｐ１，Ｇｐ２，Ｇｐ３，Ｇｐ１，Ｇｐ２，Ｇｐ３，…の順で、リンク遷移時間が経過するたびに、着目グループに属する表示項目が強調表示された表示画像が生成され表示される。ユーザは、遷移する表示画像を見ながら、自身が選択したい表示項目が含まれているリンクグループにフォーカスが当っている間に決定キー３５を押下することができる。
【００７３】
たとえば、図２５のリンクグループＧｐ３に属する表示項目が強調表示されている間にユーザが決定キー３５を押下したとき、リンクグループＧｐ３に属する表示項目の数は２個であるため、グループ選択部１８は、リンクグループＧｐ３に属する表示項目の数は１つではないと判定する（ステップＳ３０のＮＯ）。その後のステップＳ２２では、リンクグループ生成部１７は、リンクテーブルに記述されている表示位置に基づいて、リンクグループＧｐ３に属する表示項目を再分類する。図２７は、表示画面１１Ｄの左端からの表示位置（水平画素位置）に応じて、仮想線で囲まれる２つのリンクグループＧｐ１，Ｇｐ２に再分類（グループ分け）された複数の表示項目を例示する図である。図２８は、図２７の再分類（グループ分け）に応じて、図２６のリンクテーブルのグループＩＤを書き換えることで更新されたリンクテーブルを示す図である。図２８に示されるように、ユーザによって選択されなかった表示項目に対応するグループＩＤは、無効を示す値（＝−１）に設定される。
【００７４】
最終的に、ユーザが選択したリンクグループに属する表示項目の数が１つだけになったとき（図１４のステップＳ３０のＹＥＳ）、データ取得部１５は、当該表示項目に関連付けられたリンク情報で指定されるリンク先のデータファイルにネットワーク通信部１６を介してアクセスする（ステップＳ３１）。これにより、データ取得部１５は、リンク先のデータファイルを取得することができる。リンク先のデータファイルがウェブページの場合は、ユーザは、画像表示部１１に表示されたその表示画像（ページ画像）を見ることができる。
【００７５】
以上に説明したように、実施の形態１の映像表示装置１によれば、ユーザは、１つの決定キー３５を複数回押下するだけで所望の表示項目に辿り着くことができる。たとえば、図８のウェブページの表示画像には、３６個の表示項目が表示されているが、上述したように決定キー３５を４回押すだけで３６個の表示項目のなかから所望の表示項目に辿り着くことが可能である。
【００７６】
実施の形態２．
次に、上記実施の形態１の変形例である実施の形態２について説明する。本実施の形態の映像表示装置の構成は、図１４のフローチャートに代えて図２９のフローチャートを採用した点を除いて、実施の形態１の映像表示装置１の構成と同じである。本実施の形態では、図１３及び図２９のフローチャートが、接続子Ｃ１，Ｃ２を介して相互に接続されている。
【００７７】
図２９を参照すると、決定キー３５の押下（第１の情報入力）を確認しないとき（ステップＳ２７のＮＯ）、グループ選択部１８は、入力監視部１９から供給されるコードに基づいて、さらに方向キー３１〜３４のいずれかの押下（第２の情報入力）がなされたか否かを確認する（ステップＳ２８）。方向キー３１〜３４のいずれの押下も確認できないときは（ステップＳ２８のＮＯ）、上述のステップＳ２９の判定処理が実行される。
【００７８】
一方、方向キー３１〜３４のいずれかが押下されたときは（ステップＳ２８のＹＥＳ）、表示制御部１２は、簡易選択モードを解除して上述の通常の選択モードに切り替える（ステップＳ３２）。これにより、ユーザは、表示画像の内容に応じてより素早く所望の表示項目に辿り着くことができる。
【００７９】
実施の形態３．
次に、本発明に係る実施の形態３について説明する。本実施の形態の映像表示装置の構成は、実施の形態１の映像表示装置１の構成とほぼ同じである。本実施の形態の映像表示装置は、放送受信部２２で受信されたウェブページ（放送用のマークアップ言語で記述された情報を有するウェブページ）を解析してその表示画像を表示画面１１Ｄに表示する場合にも、実施の形態１の場合と同様に動作する簡易選択モードを有する。図１に示されるように、放送受信部２２は、トランスポートストリームから抽出されたＢＭＬファイルを含むウェブページをバッファメモリ２２Ｂに蓄積する機能を有している。
【００８０】
図３０及び図３１は、実施の形態３に係るウェブページ閲覧処理の手順を概略的に示すフローチャートである。図３０及び図３１のフローチャートは、接続子Ｃ３，Ｃ４を介して相互に接続されている。
【００８１】
たとえばユーザが図３の操作入力装置２３のデータキー３６を押下したとき、表示制御部１２は、データ放送用のウェブページの閲覧要求を示すコードを入力監視部１９から受信し、これに応じて実施の形態３に係るウェブページ閲覧処理を開始させる。まず、表示制御部１２は、データ取得部１５に指示してバッファメモリ２２ＢからＢＭＬファイルを読み込ませる（ステップＳ４２）。
【００８２】
次に、データ解析部１４は、前記ステップＳ１２で読み込まれたＢＭＬファイルを解析し（ステップＳ４３）、その解析結果に基づいて、ＢＭＬファイルで参照されている参照ファイルが存在しないと判定した場合は（ステップＳ４４のＮＯ）、ステップＳ５０に手順を移行させる。ここで、参照ファイルとしては、たとえば、スタイルシートファイルや画像ファイルやスクリプトファイルなどが挙げられる。一方、参照ファイルが存在すると判定した場合は（ステップＳ４４のＹＥＳ）、データ解析部１４は、データ取得部１５を介してバッファメモリ２２Ｂから参照ファイルを読み込む（ステップＳ４７）。ここで、データ解析部１４は、読み込んだ参照ファイルがスタイルシートファイルの場合はそのまま保持する。他方、参照ファイルがスタイルシートファイル以外のファイル（たとえば、画像ファイル）の場合は、このファイルを部品格納部２１に格納する。
【００８３】
次いで、データ解析部１４は、全ての参照ファイルを読み込んだか否かを判定する（ステップＳ４８）。全ての参照ファイルを読み込んでいないと判定した場合は（ステップＳ４８のＮＯ）、データ解析部１４は、全ての参照ファイルを読み込むまで、ステップＳ４７を実行する。全ての参照ファイルが読み込まれたとき（ステップＳ４８のＹＥＳ）、データ解析部１４は、ステップＳ５０に手順を移行させる。
【００８４】
ステップＳ５０では、データ解析部１４は、ウェブページからリンク情報を抽出する。具体的には、データ解析部１４は、ステップＳ４４で参照ファイルが存在しないと判定していた場合には、ＢＭＬファイルを解析し、その解析結果に基づいてＢＭＬファイルからリンク情報を抽出する。一方、ステップＳ４４で参照ファイルが存在すると判定され且つスタイルシートファイルが取得されていた場合には、ＢＭＬファイルとスタイルシートファイルとを解析し、その解析結果に基づいてリンク情報を抽出する。
【００８５】
次いで、データ解析部１４は、実施の形態１の場合と同様に初期状態のリンクテーブルを生成する（ステップＳ５１）。データ解析部１４は、生成されたリンクテーブルをリンクグループ生成部１７に引き渡す。次に、リンクグループ生成部１７は、抽出されたリンク情報に基づいて、当該リンク情報に対応する単数または複数の表示項目（リンク）を分類してリンクグループを生成する（ステップＳ５２）。具体的には、リンクグループ生成部１７は、表示位置に基づいて表示項目の分類を行い、各リンクグループに対して固有の識別子（グループＩＤ）を割り当ててリンクテーブルを更新する。リンクグループ生成部１７は、更新後のリンクテーブルをグループ選択部１８に引き渡す。
【００８６】
リンクグループの生成後、グループ選択部１８は、引き渡されたリンクテーブルを参照し、生成されたリンクグループのなかからフォーカスの対象となるリンクグループすなわち着目グループを１つ選択する（ステップＳ５３）。このとき、グループ選択部１８は、フォーカスの対象となるリンクグループのグループ番号であるグループＩＤとリンクテーブルとを表示画像生成部１３に引き渡す。次いで、表示画像生成部１３は、着目グループに属する表示項目を強調表示する表示形式で表示画像を生成する（ステップＳ５４）。具体的には、表示画像生成部１３は、データ解析部１４からＢＭＬファイルやスタイルシートファイルを受け取り、部品格納部２１からは参照ファイルを読み出す。そして、表示画像生成部１３は、これらＢＭＬファイル、スタイルシートファイル及び参照ファイルに基づいて、着目グループに属する表示項目をフォーカスが当てられた表示項目として強調表示させた表示画像（ページ画像）を生成する。強調表示の方法は、特に制限されるものではないが、たとえば、着目グループに属する表示項目の領域に色のついた透過的な画像をＯＳＤ表示（重畳表示）させたり、着目グループに属する表示項目の周縁境界部分を太線で囲ったりする画像処理を行うことができる。これにより、ユーザは、着目グループに属する表示項目にフォーカスが当てられていることを視認することができる。
【００８７】
そして、表示制御部１２は、その表示画像の映像信号を画像表示部１１に出力する（ステップＳ５５）。これにより、画像表示部１１の表示画面１１Ｄに表示画像が表示される。
【００８８】
その後、グループ選択部１８は、操作入力状態を確認する（ステップＳ５６）。具体的には、ユーザが図３の操作入力装置２３の決定キー３５を押下すると、この押下に対応したコードが入力監視部１９から出力されるので、グループ選択部１８は、決定キー３５の押下（第１の情報入力）を示すコードが入力監視部１９から出力されたか否かを確認することができる。なお、決定キー３５の押下を検出しないとき、入力監視部１９は、グループ選択部１８にその旨のコードを送る（通知する）。
【００８９】
グループ選択部１８は、決定キー３５の押下を確認しないときは（ステップＳ５７のＮＯ）、入力監視部１９から供給されるコードに基づいて、方向キー３１〜３４のいずれかの押下（第２の情報入力）がなされたか否かを確認する（ステップＳ５８）。方向キー３１〜３４のいずれかの押下も確認できないときは（ステップＳ５８のＮＯ）、所定のリンク遷移時間が経過したか否かを判定し（ステップＳ５９）、リンク遷移時間が経過していないと判定したときは（ステップＳ５９のＮＯ）、再びステップＳ５６の処理を実行する。リンク遷移時間は、フォーカスの対象を次のリンクグループに自動的に切替えるまでの待ち時間であり、任意の値（たとえば、０．５秒）に設定することができる。
【００９０】
リンク遷移時間が経過したとき（ステップＳ５９のＹＥＳ）、グループ選択部１８は、フォーカスの対象となる新たなリンクグループを着目グループとして選択する（ステップＳ５３）。このとき、グループ選択部１８は、着目グループのグループＩＤを表示画像生成部１３に引き渡す。そして、表示制御部１２は、その表示画像の映像信号を画像表示部１１に出力する（ステップＳ５５）。これにより、画像表示部１１の表示画面１１Ｄに新たな表示画像が表示される。
【００９１】
実施の形態２の場合と同様に、グループ選択部１８は、決定キー３５または方向キー３１〜３４のいずれかが押下されるまで、ステップＳ５３〜Ｓ５９を反復して実行する。このとき、フォーカスの対象となるリンクグループ（グループＩＤ）がラウンドロビン方式で選択される（ステップＳ５３）。したがって、実施の形態１，２の場合と同様に、リンク遷移時間が経過するたびに、着目グループに属する表示項目が強調表示された表示画像が生成され表示される。ユーザは、遷移する表示画像を見ながら、自身が選択したい表示項目が含まれているリンクグループにフォーカスが当っている間に決定キー３５を押下することができる。
【００９２】
ユーザが決定キー３５を押下したときは（ステップＳ５７のＹＥＳ）、グループ選択部１８は、決定キー３５の押下の時点で選択されている着目グループに属する表示項目の数が１つだけか否かを判定する（ステップＳ６０）。当該表示項目の数が複数の場合は（ステップＳ６０のＮＯ）、グループ選択部１８は、当該選択されたリンクグループのグループＩＤをリンクグループ生成部１７に通知して図３０のステップＳ５２に手順を戻す。
【００９３】
最終的に、ユーザが選択したリンクグループに属する表示項目の数が１つだけになったとき（図３１のステップＳ６０のＹＥＳ）、データ取得部１５は、当該表示項目に関連付けられたリンク情報が内部リンク情報であるか否かを判定する（ステップＳ６１）。
【００９４】
リンク情報が内部リンク情報でない場合は（ステップＳ６１のＮＯ）、データ取得部１５は、当該表示項目に関連付けられたリンク情報で指定されるリンク先のデータファイルにネットワーク通信部１６を介してアクセスする（ステップＳ６２）。これにより、データ取得部１５は、リンク先のデータファイルを取得することができる。リンク先のデータファイルがウェブページの場合は、ユーザは、画像表示部１１に表示されたその表示画像（ページ画像）を見ることができる。
【００９５】
一方、リンク情報が内部リンク情報である場合は（ステップＳ６１のＹＥＳ）、データ取得部１５は、当該内部リンク情報で指定されるバッファメモリ２２Ｂ内のウェブページにアクセスしてこれを取得する（ステップＳ６３）。よって、ユーザは、画像表示部１１に表示されたその表示画像（ページ画像）を見ることができる。
【００９６】
一方、方向キー３１〜３４のいずれかが押下されたときは（ステップＳ５８のＹＥＳ）、表示制御部１２は、簡易選択モードを解除して上述の通常の選択モードに切り替える（ステップＳ６４）。これにより、ユーザは、表示画像の内容に応じてより素早く所望の表示項目に辿り着くことができる。
【００９７】
以上に説明したように、実施の形態３の映像表示装置によれば、実施の形態１の場合と同様に、ユーザは、１つの決定キー３５を複数回押下するだけで所望の表示項目に辿り着くことができる。また、実施の形態２の場合と同様に、ユーザは、方向キー３１〜３４のいずれかを押下するだけで、簡易選択モードから通常の選択モードに遷移させることができるので、表示画像の内容に応じて素早く所望の表示項目に辿り着くことができる。
【００９８】
実施の形態１，２，３の変形例．
以上、図面を参照して本発明に係る種々の実施の形態について述べたが、これらは本発明の例示であり、上記以外の様々な形態を採用することもできる。たとえば、液晶表示装置やプラズマディスプレイなどの、比較的大画面を有し高精細な映像を表示する映像表示装置に上記実施の形態１〜３の構成を組み込むこともできる。
【００９９】
また、上記実施の形態１〜３の映像表示装置は、ハードウェア構成に限らず、コンピュータ読み取り可能なプログラムで実現することもできる。図３２は、プログラムで実現される場合の映像表示装置１の構成を概略的に示す機能ブロック図である。図３２の映像表示装置１は、放送受信部２２、ＣＰＵ（ｃｅｎｔｒａｌ  ｐｒｏｃｅｓｓｉｎｇ  ｕｎｉｔ）を含むプロセッサ６１、映像インタフェース６２、入力インタフェース６３、ＲＡＭ（ｒａｎｄｏｍ  ａｃｃｅｓｓ  ｍｅｍｏｒｙ）６４、不揮発性メモリ６５、記録媒体６６及びネットワークインタフェース６７を備えている。これら構成要素は、バス７０を介して相互に接続される。ここで、入力インタフェース６３は、入力受信部２０に相当し、ネットワークインタフェース６７は、ネットワーク通信部１６に相当する。記録媒体６６としては、たとえば、ハードディスク（磁気ディスク）、光ディスクまたはフラッシュメモリが挙げられる。プロセッサ６１は、不揮発性メモリ６５または記録媒体６６からプログラムをロードし実行することによって映像表示装置１の機能を実現することができる。
【０１００】
また、上記実施の形態では、ユーザは、キー入力により所望の項目に辿り着いていたが、これに限定されるものではない。たとえば、音声入力によりユーザ所望の項目に辿り着くことができるように上記実施の形態の構成を変更することも可能である。具体的には、入力監視部１９は、入力された音声の認識結果に基づいて、特定の情報入力の有無を監視することができる。
【符号の説明】
【０１０１】
１  映像表示装置、  ２  通信ネットワーク、  ＳＶ１〜ＳＶＮ  データサーバ、  １１  画像表示部、  １１Ｄ  表示画面、  １２  表示制御部、  １３  表示画像生成部、  １４  データ解析部、  １５  データ取得部、  １６  ネットワーク通信部、  １７  リンクグループ生成部、  １８  グループ選択部、  １９  入力監視部、  ２０  入力受信部、  ２１  部品格納部、  ２２  放送受信部、  ２２Ｂ  バッファメモリ、  ２３  操作入力装置、  ３１  上方キー、  ３２  下方キー、  ３３  左方向キー、  ３４  右方向キー、  ３５  決定キー、  ３６  データキー。
【図１】
2012128765.tif 000003
【図２】
2012128765.tif 000004
【図３】
2012128765.tif 000005
【図４】
2012128765.tif 000006
【図５】
2012128765.tif 000007
【図６】
2012128765.tif 000008
【図７】
2012128765.tif 000009
【図８】
2012128765.tif 000010
【図９】
2012128765.tif 000011
【図１０】
2012128765.tif 000012
【図１１】
2012128765.tif 000013
【図１２】
2012128765.tif 000014
【図１３】
2012128765.tif 000015
【図１４】
2012128765.tif 000016
【図１５】
2012128765.tif 000017
【図１６】
2012128765.tif 000018
【図１７】
2012128765.tif 000019
【図１８】
2012128765.tif 000020
【図１９】
2012128765.tif 000021
【図２０】
2012128765.tif 000022
【図２１】
2012128765.tif 000023
【図２２】
2012128765.tif 000024
【図２３】
2012128765.tif 000025
【図２４】
2012128765.tif 000026
【図２５】
2012128765.tif 000027
【図２６】
2012128765.tif 000028
【図２７】
2012128765.tif 000029
【図２８】
2012128765.tif 000030
【図２９】
2012128765.tif 000031
【図３０】
2012128765.tif 000032
【図３１】
2012128765.tif 000033
【図３２】
2012128765.tif 000034